(57)【要約】【課題】ＢＢＵとＲＦＵの間の光ファイバ・ケーブルまたは同軸ケーブルの敷設の費用を下げる、柔軟な基地トランシーバ局を提供する。【解決手段】本発明の無線トランシーバ局（１０）は、少なくとも１つのベースバンドユニット（６０）と、少なくとも１つの無線機（５０）を有する少なくとも１つの無線周波数ユニット（４０）と、少なくとも１つのベースバンドユニットを少なくとも１つの無線機に無線結合する無線リンク（７０）とを含む。無線リンクをサポートして、ベースバンドユニットに含まれるマルチヘッド・エア・インターフェース・アンテナ（９０）やＲＦアンテナ（８０）を同調して、少なくとも１００Ｍｂｐｓのデータ・レートをサポートすることができ、これらアンテナに広帯域特性および／または狭帯域特性を含めることができる。【選択図】図１
2005160092.tif 000002
【特許請求の範囲】
【請求項１】
少なくとも１つのベースバンドユニットと、
少なくとも１つの無線機を有する少なくとも１つの無線周波数ユニットと、
前記少なくとも１つのベースバンドユニットを前記少なくとも１つの無線機に無線結合する無線リンクとを含む無線トランシーバ。
【請求項２】
前記少なくとも１つのベースバンドユニットおよび前記無線周波数ユニットが、前記無線リンクをサポートする送信器−受信器を含むことを特徴とする請求項１に記載の無線トランシーバ。
【請求項３】
前記送信器−受信器が、見通し線トランシーバおよびブロードバンド・トランシーバの少なくとも１つを含むことを特徴とする請求項２に記載の無線トランシーバ。
【請求項４】
前記無線機が、
受信信号を逆多重化するデマルチプレクサおよび送信される信号を多重化するマルチプレクサ、
前記受信信号を認証するオーセンティケータおよび送信される前記信号を認証解除するデオーセンティケータ、
前記受信信号を解読するデクリプタおよび送信される前記信号を暗号化するエンクリプタの少なくとも１つを含むことを特徴とする請求項２に記載の無線トランシーバ。
【請求項５】
前記少なくとも１つのベースバンドユニットが、前記無線リンクをサポートするマルチヘッド・エア・インターフェース・アンテナを含むことを特徴とする請求項２に記載の無線トランシーバ。
【請求項６】
前記マルチヘッド・エア・インターフェース・アンテナが、少なくとも１００Ｍｂｐｓのデータ・レートをサポートするように動作する、セクタごとに少なくとも１つのアンテナを含むことを特徴とする請求項５に記載の無線トランシーバ。
【請求項７】
前記少なくとも１つの無線機が、前記無線リンクをサポートするＲＦアンテナを含み、前記ＲＦアンテナが少なくとも１００Ｍｂｐｓのデータ・レートをサポートするように動作することを特徴とする請求項５に記載の無線トランシーバ。
【請求項８】
前記少なくとも１つのベースバンドユニットが、
少なくとも２つのベースバンドユニット・プリント回路基板と、
前記少なくとも２つのベースバンドユニット・プリント回路基板を互いに無線結合するベースバンドユニット無線リンクとを含むことを特徴とする請求項２に記載の無線トランシーバ。
【請求項９】
前記少なくとも１つの無線周波数ユニットが、
少なくとも２つの無線周波数ユニット・プリント回路基板と、
前記少なくとも２つの無線周波数ユニット・プリント回路基板を互いに無線結合する無線周波数無線リンクとを含むことを特徴とする請求項２に記載の無線トランシーバ。
【請求項１０】
前記無線リンクが、前記少なくとも１つのベースバンドユニットに、前記無線機のＩＦセクション、Ｉ＆Ｑセクション、およびＲＦセクションの少なくとも１つを無線結合することを特徴とする請求項２に記載の無線トランシーバ。
【発明の詳細な説明】
【技術分野】
【０００１】
本発明は、全般的には通信に関し、具体的には、無線通信システムに関する。
【背景技術】
【０００２】
無線通信システムは、ある地理的領域内に配置された複数の無線ユニットまたは移動ユニットに無線サービスを提供する。ある無線通信システムによってサポートされる地理的領域が、一般に「セル」と称する空間的に別個の領域に分割される。理想的には、各セルは、蜂の巣パターンの６角形によって表すことができる。しかし、実際には、各セルは、セルを囲む地域の地形を含む様々な要因に応じて、不規則な形状を有する可能性がある。さらに、各セルは、複数のセクタにさらに分割される。各セルは、一般に３つのセクタに分割され、各セクタが、たとえば１２０度の範囲を有する。
【０００３】
従来のセルラ・システムには、無線ユニットまたは移動ユニットとの間で通信信号の送受信をサポートするために地理的に分散された複数のセル・サイトまたは基地トランシーバ局が含まれる。各セル・サイトは、セル内で、ならびにセル外で通信する。さらに、セルラ・システムの全体的なカバレージ区域は、すべてのセル・サイトに関するセルの和集合によって定義することができ、ここで、近くのセル・サイトのカバレージ区域は、可能な場合には、システムのカバレージ区域の外側の境界内で連続した通信カバレージを保証するために、オーバーラップする。
【０００４】
アクティブである時に、無線ユニットは、少なくとも１つの基地局から順方向リンク（たとえばダウンリンク）を介して信号を受信し、逆方向リンク（たとえばアップリンク）を介して少なくとも１つの基地局に信号を送信する。たとえば時分割多元接続（ＴＤＭＡ）、符号分割多元接続（ＣＤＭＡ）、および直交周波数分割多元接続（ＯＦＤＭＡ）を含む、複数の手法が、セルラ通信システムでリンクまたはチャネルを定義するために開発された。
【０００５】
各基地トランシーバ局に、通常は、１つまたは複数の無線塔と、そのセル内の無線ユニットのそれぞれと通信する１つまたは複数のアンテナが含まれる。さらに、各基地トランシーバ局に、モバイル・スイッチング・センタ（ｍｏｂｉｌｅ  ｓｗｉｔｃｈｉｎｇ  ｃｅｎｔｅｒ：ＭＳＣ）と通信する伝送装置が含まれる。モバイル・スイッチング・センタは、とりわけ、無線ユニットの間で、公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）を介して無線ユニットと無線ユニットの間で、ならびに無線ユニットとインターネットなどのパケット・データ網（Ｐａｃｋｅｔ  Ｄａｔａ  Ｎｅｔｗｏｒｋ：ＰＤＮ）の間で、呼を確立し、維持する責任を負う。基地局コントローラ（ｂａｓｅ  ｓｔａｔｉｏｎ  ｃｏｎｔｒｏｌｌｅｒ：ＢＳＣ）は、１つまたは複数の基地トランシーバ局の無線リソースを管理し、この情報をＭＳＣに中継する。
【０００６】
このために、各基地トランシーバ局内の伝送装置には、少なくとも１つの無線周波数ユニット（ｒａｄｉｏ  ｆｒｅｑｕｅｎｃｙ  ｕｎｉｔ：ＲＦＵ）が含まれる。電力増幅器およびフィルタのほかに、各ＲＦＵには、エア・インターフェースを介して携帯電話機と通信する少なくとも１つの無線機が含まれる。さらに、伝送装置には、少なくとも１つのベースバンドユニット（Ｂａｓｅ  Ｂａｎｄ  Ｕｎｉｔ：ＢＢＵ）も含まれる。各ＢＢＵには、ＲＦＵとモバイル・スイッチング・センタの間での通信を処理する１つまたは複数のプロセッサ、ならびにチャネル・カードを含めることができる。
【発明の開示】
【発明が解決しようとする課題】
【０００７】
現在、基地トランシーバ局内の各ＢＢＵは、光ファイバ・ケーブルまたは同軸ケーブルなどの専用線（ｄｅｄｉｃａｔｅｄ  ｈａｒｄｌｉｎｅ）を介してモバイル・スイッチング・センタに結合される。ＲＦＵは、セルを形成するために複数の位置に配置されるが、ＢＢＵは、それがサービスするＲＦＵと分離され、したがって、分散システムが形成される。たとえば、複数のベース・バンド・サブシステムを、中央区域に配置し、各ベース・バンド・サブシステムが、ポイントツーポイントの光ファイバ・ケーブルまたは同軸ケーブルを介する各々のＲＦＵへの専用リンクを使用することができる。このＢＢＵとＲＦＵの間のハード接続は、完成させるのに労力とコストがかかり、ＢＢＵとＦＲＵの間で光ファイバ・ケーブルまたは同軸ケーブルを敷設するのに特殊サービス作業者が必要である。基地トランシーバ局の位置の地形（たとえば山脈）も、性能を改善するためにさらに大きな距離でＢＢＵとＲＦＵの間隔を置くことに向いている場合がある。このＢＢＵとＲＦＵの間の間隔は、基地トランシーバ局にかなりのコストを追加する可能性がある。たとえば、ＢＢＵとＲＦＵの間の不動産が、光ファイバ・ケーブルまたは同軸ケーブルを敷設するための賃借あるいはその権利の証書を必要とする場合がある。
【０００８】
その結果、ＢＢＵとＲＦＵの間の光ファイバ・ケーブルまたは同軸ケーブルの敷設のコストを下げる、柔軟な基地トランシーバ局が求められている。さらに、ＢＢＵとＲＦＵを一緒に結合するために光ファイバ・ケーブルを敷設するための賃借、証書、または法的権利の必要を回避する、柔軟な基地トランシーバ局が求められている。
【課題を解決するための手段】
【０００９】
本発明は、拡張された柔軟性を有する基地トランシーバ局を提供する。基地トランシーバ局は、たとえば、ＢＢＵとＲＦＵなど、コンポーネントの間の外部および／または内部の光ファイバ・ケーブルまたは同軸ケーブルを敷設する必要を減らし、かつ／またはなくする、ますます費用効率のよい手法を提供することができる。さらに、本発明は、たとえばＢＢＵとＲＦＵなどのコンポーネントの間に光ファイバ・ケーブルを敷設するための賃借、証書、または法的権利の必要を減らし、かつ／またはなくすることによる、より単純な構成を提供することもできる。
【００１０】
一実施形態で、本発明の基地トランシーバ局に、少なくとも１つのベースバンドユニットおよび少なくとも１つの無線周波数ユニットが含まれる。基地トランシーバ局に、ベースバンドユニットを無線周波数ユニットに結合する無線リンクも含まれる。ベースバンドユニットおよび無線周波数ユニットは、１つの例で、約５００ｍの距離だけ間隔を置くことができる。無線リンクをサポートして、ベースバンドユニットに、マルチヘッド・エア・インターフェース・アンテナ（たとえば、セクタごとに１つまたは複数のアンテナ・ヘッド）を含めることができる。マルチヘッド・エア・インターフェース・アンテナを同調して、少なくとも１００Ｍｂｐｓのデータ・レートをサポートすることができ、マルチヘッド・エア・インターフェース・アンテナには、広帯域特性および／または狭帯域特性を含めることができる。さらに、無線周波数ユニットに、無線リンクをサポートするＲＦアンテナを含めることができる。ＲＦアンテナを同調して、少なくとも１００Ｍｂｐｓのデータ・レートをサポートすることができ、ＲＦアンテナに、広帯域特性および／または狭帯域特性を含めることもできる。
【００１１】
本発明のもう１つの実施形態では、基地トランシーバ局に、ベースバンドユニットと無線周波数ユニットを含めることができる。ベースバンドユニットに、少なくとも２つのベースバンドユニット・プリント回路基板と、ベースバンドユニット・プリント回路基板を互いに結合するベースバンドユニット無線リンクを含めることができる。ベースバンドユニット無線リンクには、少なくとも３．０４８ｍ（１０フィート）の範囲を含めることができ、ベースバンドユニット無線リンクは、少なくとも１００Ｍｂｐｓのデータ・レートをサポートすることができる。同様に、無線周波数ユニットには、少なくとも２つの無線周波数ユニット・プリント回路基板と、無線周波数ユニット・プリント回路基板を互いに結合する無線周波数無線リンクを含めることができる。無線周波数無線リンクに、少なくとも３．０４８ｍ（１０フィート）の範囲を含めることができ、無線周波数無線リンクは、少なくとも１００Ｍｂｐｓの周波数レートで動作することができる。
【００１２】
本発明は、添付図面に関して、非制限的な実施形態の下記の説明を読むことからよりよく理解される。
【００１３】
本明細書の図面が、原寸に比例しておらず、単に概略表現であり、したがって、本発明の特定の寸法を示すことを意図されておらず、これらの寸法は、本明細書の開示の検査を介して当業者が判定することができることを強調しなければならない。
【発明を実施するための最良の形態】
【００１４】
本発明は、強化された柔軟性を有する基地トランシーバ局を提供する。基地トランシーバ局は、たとえば、ＢＢＵおよびＲＦＵなどのコンポーネントの間の外部および／または内部の光ファイバ・ケーブルまたは同軸ケーブルを敷設する必要を減らし、かつ／またはなくすることによって、ますますコスト効率のよい手法を提供することができる。さらに、本発明は、たとえばＢＢＵおよびＲＦＵなどのコンポーネントの間に光ファイバ・ケーブルを敷設するための賃借、証書、または法的権利の必要を減らし、かつ／またはなくすることによる、より単純な構成を提供することもできる。
【００１５】
図１を参照すると、本発明の実施形態が示されている。具体的に言うと、無線トランシーバ１０が、分散アーキテクチャを有するものとして図示されている。無線トランシーバ１０は、基地トランシーバ局によって実現することができる。
【００１６】
無線トランシーバ１０に、少なくとも１つの無線塔２０が含まれる。さらに、無線トランシーバ１０に、セル内の各無線ユニットと通信する１つまたは複数のアンテナ３０が含まれる。各無線トランシーバ１０に、モバイル・スイッチング・センタ（図示せず）と通信する伝送装置が含まれる。
【００１７】
たとえば、基地局のサブコンポーネントの間で光ファイバ・ケーブルを敷設するための法的権利の必要を回避するために、無線トランシーバ１０を、分散アーキテクチャに従って設計することができる。この分散は、トランシーバ１０の位置の地形および／または景色を考慮に入れたものとすることができる。さらに、トランシーバ１０の分散アーキテクチャによって、セル・カバレージを高めることもできる。
【００１８】
無線トランシーバ１０を分散するために、伝送装置を定式化するコンポーネントを、機能性によって分離することができる。伝送装置には、たとえば、ケーブル３５によって無線塔２０に結合された１つまたは複数の無線周波数ユニット（ＲＦＵ）４０が含まれる。各ＲＦＵ４０に、電力増幅器４４およびフィルタ４８が含まれる。
【００１９】
さらに、各ＲＦＵ４０に、１つまたは複数の無線機５０が含まれる。無線機５０は、エア・インターフェースを介して携帯電話機と通信することを含む、様々な機能を実行する。このために、各無線機５０に、中間周波数（ＩＦ）セクション５２、Ｉ＆Ｑ（ｉｎ−ｐｈａｓｅ  ａｎｄ  ｑｕａｄｒａｔｕｒｅ）セクション５４、無線周波数（ＲＦ）セクション５６、およびデジタル・セクション５８が含まれる。
【００２０】
無線トランシーバ１０の伝送装置に、少なくとも１つのベースバンドユニット（ＢＢＵ）６０も含まれる。各ＢＢＵ６０に、ＲＦＵとモバイル・スイッチング・センタの間の通信を処理する１つまたは複数のプロセッサ６５が含まれる。現在、ＲＦＵ４０とモバイル・スイッチング・センタの間のＢＢＵ６０を介する接続は、配線によって実現されている。本発明によれば、全般的には伝送装置のコンポーネント、具体的にはＲＦＵ４０のコンポーネントを、分散することができる。この分散によって、無線トランシーバ１０に、ＢＢＵ６０をＲＦＵ４０に無線結合する無線リンク７０が含まれる。無線リンク７０によって、ＢＢＵ６０を、ＲＦＵ４０と共に、無線トランシーバ１０の位置の地勢、地形、および／または景色を利用するために、互いに５００ｍ程度の間隔を置くことができるようになる。
【００２１】
本発明の一実施形態によれば、ＢＢＵ６０を、無線リンク７０を介してＲＦＵ４０の１つまたは複数の無線機５０に無線結合することができる。具体的に言うと、ＢＢＵ６０を、無線機５０の１つまたは複数のサブコンポーネントと無線結合することができ、たとえば、ＢＢＵ６０を、ＩＦセクション５２、Ｉ＆Ｑセクション５４、ＲＦセクション５６、および／またはデジタル・セクション５８と無線結合することができる。アーキテクチャを単純にするために、増幅器４４およびフィルタ４８を、無線機５０のサブコンポーネントの１つまたは複数と並べて置くことができる。
【００２２】
無線トランシーバ１０を分散するために、無線リンク７０は、ＢＢＵ６０とＲＦＵ４０の無線機５０の間の正しい保護された無線通信を保証するために、追加のハードウェアおよび／またはソフトウェアを必要とする場合がある。この目的をサポートして、無線機５０に、送信器−受信器７４が含まれ、ＢＢＵ６０にも、送信器−受信器７８が含まれる。各送信器−受信器７４および７８に、見通し線トランシーバ（たとえば、約４ＧＨｚの周波数で動作する）および／またはブロードキャスト・トランシーバ（ｂｒｏａｄｃａｓｔ  ｔｒａｎｓｃｅｉｖｅｒ）（たとえば、少なくとも１００ＭＨｚの周波数で動作する）のいずれかが含まれる。各送信器−受信器７４および７８は、追加アンテナ（図示せず）に結合されるか、無線トランシーバ１０の汎用の既存アンテナ構造を使用し、これによって、無線信号がＢＢＵ６０とＲＦＵ４０の無線機５０の間で流れることを可能にする。ＢＢＵ６０および無線機５０によって送信され、受信される無線信号は、内容において、既知の非分散アーキテクチャで通信できるものと同一とすることができる。しかし、空気を介する送受信に依拠しているために、相違には、セキュリティ、冗長性、およびエラー訂正を含めることができる。
【００２３】
ＢＢＵ６０と無線機５０の間の保護された無線通信を保証するために、各送信器−受信器７４および７８に、様々な追加コンポーネントを含めることもできる。たとえば、各送信器−受信器７４および７８に、着信受信信号を逆多重化するデマルチプレクサ、着信受信信号を認証するオーセンティケータ（認証器（ａｕｔｈｅｎｔｉｃａｔｏｒ））、および受信信号を解読するデクリプタ（解読器（ｄｅｃｒｙｐｔｏｒ））を含めることができる。同様に、各送信器−受信器７４および７８に、送信される信号を多重化するマルチプレクサ、送信される信号の認証を解除するデオーセンティケータ（認証解除器（ｄｅａｕｔｈｅｎｔｉｃａｔｏｒ））、および送信される信号を暗号化するエンクリプタ（暗号化器（ｅｎｃｒｙｐｔｏｒ））を含めることもできる。
【００２４】
分散アーキテクチャを助長して、無線トランシーバ１０のＲＦＵ４０およびＢＢＵ６０のそれぞれに、追加のアンテナ要素も含めることができる。各無線機５０に、無線リンク７０をサポートするＲＦアンテナ８０を含めることができる。１つの例で、ＲＦアンテナ８０が、各送信器−受信器７４とあいまって、少なくとも１００Ｍｂｐｓの無線リンクを介するデータ・レートをサポートする。
【００２５】
さらに、各ＢＢＵ６０に、無線リンク７０をサポートする少なくとも１つのマルチヘッド・エア・インターフェース・アンテナ９０を含めることができる。一実施形態で、マルチヘッド・エア・インターフェース・アンテナは、セルのセクタごとに指定される少なくとも１つのアンテナ・ヘッドを有することができる。さらに、１つの例で、マルチヘッド・エア・インターフェース・アンテナ９０は、ＢＢＵ６０の各送信器−受信器７８とあいまって、約１００Ｍｂｐｓの無線リンクを介するデータ・レートをサポートすることができる。
【００２６】
図２を参照すると、本発明のもう１つの実施形態が示されている。具体的に言うと、無線基地トランシーバ局１００が、分散アーキテクチャを有するものとして図示されている。基地トランシーバ局１００は、分散アーキテクチャを使用して、図１の無線トランシーバ１０によく似た形で、光ファイバ・ケーブルを敷設する法的権利の必要を回避する。上で述べたように、この分散は、基地トランシーバ局１００の位置の地形および／または景色を考慮に入れたものとすることができる。さらに、セル・カバレージも、トランシーバ１００の分散アーキテクチャによって高めることができる。
【００２７】
基地トランシーバ局１００を分散するために、伝送装置を定式化するコンポーネントを、機能性によって分離することができる。伝送装置には、たとえば、ＲＦＵを形成する第１および第２の無線周波数サブユニット１４０および１４５が含まれる。例示のために、第１のＲＦＵ１４０は、ケーブル１３５によって塔１２０に結合され、電力増幅器１４４およびフィルタ１４８を組み込まれる。
【００２８】
基地トランシーバ局１００は、分散無線機アーキテクチャを有する。具体的に言うと、基地トランシーバ局１００に、第１および第２の無線周波数サブユニット１４０および１４５が含まれる。各無線周波数サブユニット内に、無線機アーキテクチャの諸セクションが組み込まれる。その結果、無線周波数サブユニット１４０に、ＩＦセクション１５２およびＩ＆Ｑセクション１５４を有する第１無線機セグメント１５０が含まれ、ＲＦＵに、ＲＦセクション１５６およびデジタル・セクション１５８を含む第２無線機セグメント１５１が含まれる。第１および第２の無線周波数サブユニット１４０および１４５は、送信器−受信器１７４および１７６ならびにアンテナ１８０および１８５によって互いに無線結合される。この配置によって、第１および第２の無線周波数サブユニット１４０および１４５、したがって無線機１５０および１５１を、基地トランシーバ局１００が配置される位置の地勢および地形を利用して互いに間隔を置くことができる。
【００２９】
図３を参照すると、本発明のもう１つの実施形態が示されている。具体的に言うと、無線基地トランシーバ局２００が、分散アーキテクチャを有するものとして図示されている。基地トランシーバ局２００は、分散アーキテクチャを使用して図１の無線トランシーバ１０および図２の基地トランシーバ局１００によく似た形で、光ファイバ・ケーブルを敷設する法的権利の必要を回避する。
【００３０】
基地トランシーバ局２００を分散するために、伝送装置を定式化するコンポーネントを、機能性によって分離することができる。伝送装置に、たとえば、無線リンク２７０によってベースバンドユニット（ＢＢＵ）２６０に無線結合された無線周波数ユニット（ＲＦＵ）２４０が含まれる。無線リンク２７０をサポートするために、ＲＦＵ２４０に、送信器−受信器２７４およびアンテナ２８０が含まれ、ＢＢＵに、送信器−受信器２７８およびアンテナ２９０が含まれる。
【００３１】
外部分散アーキテクチャを組み込むことに加えて、トランシーバ局２００では、内部分散設計も使用される。具体的に言うと、ＲＦＵ２４０に、電力増幅器２４４およびフィルタ２４８のほかに、互いに無線結合される複数のサブコンポーネントが含まれる。プリント回路基板を一緒に機械的に結合する高価で比較的重く、かなり大きいバックプレーンの代わりに、ＲＦＵ２４０内の無線機を形成する要素を、互いに物理的に分離し、無線リンクに頼ることができる。その結果、ＲＦＵ２４０のＩＦセクション２５２、Ｉ＆Ｑセクション２５４、ＲＦセクション２５６、およびデジタル・セクション２５８が、お互いおよび送信器−受信器２７４と、ハードワイヤされがケーブルではなくＲＦＵ内部無線リンクを介して通信することができる。それを行う際に、ＲＦＵ２４０の物理的配置および設計が、より高い柔軟性を有することができ、基地トランシーバ局２００の位置の地勢、地形、および／または景色を利用できるようになる。この設計によって、ＲＦＵ２４０のアーキテクチャが、ＲＦＵ内部無線リンクを介して既存コンポーネントに結合できる新しいおよび／または追加のコンポーネントを含めることによる拡張をサポートすることができる。
【００３２】
同様に、ＢＢＵ２６０を形成する要素を、お互いを結合するための無線リンクに頼ることによって、物理的に互いに分離することができる。その結果、ＲＦＵとモバイル・スイッチング・センタの間の通信を処理するプロセッサ２６５を、ハードワイヤされたケーブルではなくＢＢＵ内部無線リンクを介して送信器−受信器２７８と無線結合することができる。この設計によって、ＢＢＵ２６０の配置および構成が、より高い柔軟性を有することができ、基地トランシーバ局２００の位置の地勢、地形、および／または景色を利用できるようになる。この設計によって、ＢＢＵ２６０のアーキテクチャが、ＢＢＵ内部無線リンクを介して既存コンポーネントに結合できる新しいおよび／または追加のコンポーネントを含めることによる拡張をサポートする。
【００３３】
特定の発明を、例示的実施形態を参照して説明したが、この説明は、制限的な意味で解釈されることを意図されたものではない。本発明を説明したが、例示的実施形態の様々な修正ならびに本発明の追加実施形態が、請求項に記載の本発明の趣旨から逸脱せずに、この説明を参照する当業者に明白であることを理解されたい。その結果、説明された方法およびシステムの方法、システム、およびその一部を、無線ユニット、基地局、基地局コントローラ、および／またはモバイル・スイッチング・センタなどの異なる位置で実施することができる。さらに、この開示の利益を有する当業者が理解するように、説明されたシステムを実施し、使用するのに必要な処理回路を、特定用途向け集積回路、ソフトウェア駆動処理回路、ファームウェア、プログラマブル・ロジック・デバイス、ハードウェア、上記のコンポーネントのディスクリート・コンポーネントまたは配置で実施することができる。当業者は、これらおよび様々な修正、配置、および方法を、図示され本明細書で説明された例示的応用例に厳密に従うことなく、本発明の趣旨および範囲から逸脱せずに、本発明に対して行うことができる。したがって、請求項が、本発明の真の範囲に含まれるそのような修正および実施形態のすべてを含むことが企図されている。
【図面の簡単な説明】
【００３４】
【図１】本発明の一実施形態を示す図である。
【図２】本発明のもう１つの実施形態を示す図である。
【図３】本発明のもう１つの実施形態を示す図である。
【図１】
2005160092.tif 000003
【図２】
2005160092.tif 000004
【図３】
2005160092.tif 000005